(57)【要約】【課題】    第二塵埃分離手段に付着した塵埃を容易に除去するとともに、吸込性能の低下を防止することができる電気掃除機を提供すること。【解決手段】電動送風機２１の負圧が作用する負圧室部（負圧室）４３と、この負圧室部４３と吸込口４１Ａとを連通させるネットフィルタ（フィルタ）Ｆ３を有し且つこのネットフィルタＦ３を介して作用する吸込負圧により吸込口４１Ａから吸引した空気と塵埃とを分離する塵埃分離部（第一塵埃分離手段）４５と、この塵埃分離部４５によって分離された塵埃を集塵する集塵室部（集塵部）４４と、塵埃分離部４５及び集塵室部４４の下流側に設けられて濾過により塵埃を捕捉して空気と塵埃とを分離するフィルタ体（第二塵埃分離手段）７０を備えた電気掃除機１０であって、塵埃分離部４５とフィルタ体７０との間に、このフィルタ体７０の上流側の面７０Ａに向かう流れを発生させる外気取入開口６０を形成するとともに、この外気取入開口６０には開閉可能な開閉弁６４を設けた。【選択図】  図２
2006006453.tif 000002
【特許請求の範囲】
【請求項１】
電動送風機の負圧が作用する負圧室と、該負圧室と吸込口とを連通させるフィルタを有し且つこのフィルタを介して作用する吸込負圧により前記吸込口から吸引した空気と塵埃とを分離する第一塵埃分離手段と、該第一塵埃分離手段によって分離された塵埃を集塵する集塵部と、前記第一塵埃分離手段の下流側に設けられて濾過により塵埃を捕捉して空気と塵埃とを分離する第二塵埃分離手段を備えた電気掃除機であって、
前記第一塵埃分離手段と前記第二塵埃分離手段との間に、該第二塵埃分離手段の上流側の面に向かう流れを発生させる外気取入開口が形成されるとともに、該外気取入開口には開閉可能な開閉弁が設けられたことを特徴とする電気掃除機。
【発明の詳細な説明】
【技術分野】
【０００１】
本発明は、吸引した塵埃をこの塵埃の慣性力により分離する塵埃分離手段を備えた電気掃除機に関する発明である。
【背景技術】
【０００２】
従来の電気掃除機としては、図１０に示すようなものが知られている（例えば特許文献１参照）。
【０００３】
この電気掃除機１は、掃除機本体２内に配置された電動送風機３の吸込負圧が作用する負圧室４と、この負圧室４に作用した吸込負圧によって吸込口５から吸引した空気と塵埃とを分離する第一塵埃分離手段６と、この第一塵埃分離手段６によって分離された塵埃を集塵する集塵部７と、第一塵埃分離手段６及び集塵部７の下流側に設けられた第二塵埃分離手段８とを備えた集塵容器９を有している。また、この集塵容器９は掃除機本体２に着脱自在に設けられている。
【０００４】
第二塵埃分離手段８は、いわゆるプリーツフィルタであり、第一塵埃分離手段６に設けられたネットフィルタＦ１や、集塵部7に設けられた通気開口７Ａに取り付けられたフィルタ（図示せず）に捕集されず、各ネットフィルタＦ１、Ｆ２を通過した重量の軽い塵埃を濾過により捕捉して、この塵埃と空気とを分離するものである。
【０００５】
そして、この第二塵埃分離手段８によって塵埃と分離された空気は、重量の軽い塵埃が十分に除去されてから電動送風機３に吸い込まれている。
【特許文献１】特許第３４９００８１号公報
【発明の開示】
【発明が解決しようとする課題】
【０００６】
ところで、第二塵埃分離手段８に付着した塵埃を除去するには、まず、掃除機本体２に装着された集塵容器９を取り外す。そして、取り外した集塵容器９から第二塵埃分離手段８をさらに取り外し、掃除を行っていた。
【０００７】
そのため、第二塵埃分離手段８の掃除に手間がかかり、簡単に塵埃を除去することができないという問題が生じていた。
【０００８】
特に、第二塵埃分離手段８がプリーツ形状を呈したフィルタ（プリーツフィルタ）である場合には、各プリーツの間に塵埃が入り込み、非常に掃除しにくくなっていた。
【０００９】
そのため、従来の電気掃除機１では、第二塵埃分離手段８に付着した塵埃を十分に除去することが難しく、第二塵埃分離手段８が目詰まりしやすくなって、塵埃を吸い込む吸込性能が低下するという問題も生じていた。
【００１０】
そこで、この発明は、第二塵埃分離手段に付着した塵埃を容易に除去するとともに、吸込性能の低下を防止することができる電気掃除機を提供することを課題としている。
【課題を解決するための手段】
【００１１】
上記課題を解決するために、この発明は、電動送風機の負圧が作用する負圧室と、この負圧室と吸込口とを連通させるフィルタを有し且つこのフィルタを介して作用する吸込負圧により吸込口から吸引した空気と塵埃とを分離する第一塵埃分離手段と、この第一塵埃分離手段によって分離された塵埃を集塵する集塵部と、第一塵埃分離手段の下流側に設けられて濾過により塵埃を捕捉して空気と塵埃とを分離する第二塵埃分離手段を備えた電気掃除機であって、第一塵埃分離手段と第二塵埃分離手段との間に、この第二塵埃分離手段の上流側の面に向かう流れを発生させる外気取入開口が形成されるとともに、この外気取入開口には開閉可能な開閉弁が設けられたことを特徴としている。
【発明の効果】
【００１２】
本発明の電気掃除機によれば、第二塵埃分離手段の上流側の面に向かう流れを発生させるとともに、開閉可能な開閉弁が設けられた外気取入開口が形成されたので、開閉弁を開いて外気取入開口から外気を流入させることができる。そして、この流入した外気を第二塵埃分離手段の上流側の面に向けることによって、第二塵埃分離手段の上流側の面付近に乱流を発生させることが可能となり、第二塵埃分離手段に付着した塵埃を再浮上させて吹き飛ばすことができる。
【００１３】
このように、第二塵埃分離手段に付着した塵埃が再浮上することで剥がれて、付着した塵埃を容易に除去することが可能となる。
【００１４】
また、第二塵埃分離手段に付着した塵埃が容易に除去できるので、この第二塵埃分離手段の目詰まりを改善して、吸込性能の低下を防止することもできる。
【発明を実施するための最良の形態】
【００１５】
次に、図面に基づいて、この発明を実施するための最良の実施の形態の電気掃除機を説明する。
【００１６】
図１に示す電気掃除機１０は、掃除機本体１１と、この掃除機本体１１の接続口１１Ａに一端が着脱自在に接続され他端に手元操作管１３が設けられた集塵ホース１２と、手元操作管１３に着脱自在に装着された延長管１４と、延長管１４の先端部に着脱自在に接続された吸込口体１５とを備えている。手元操作管１３には操作部１３Ａが設けられており、この操作部１３Ａには駆動スイッチＳ等が設けられている。
【００１７】
掃除機本体１１は、本体ケース２０と、後部が本体ケース２０にヒンジ結合されて上下方向に開閉可能となっている蓋体３０と、本体ケース２０に着脱自在に載置された集塵容器（ダストカップ）４０とを備えている。
【００１８】
本体ケース２０には、図２に示すように、電動送風機２１を収納した電動室２２が形成され、この電動室２２の前面には前方に突出した皿状の載置部２３が形成されている。この載置部２３には集塵容器４０が着脱自在に載置され、蓋体３０を閉じた際にこの蓋体３０と載置部２３とで集塵容器４０を挟持して固定するようになっている（図１参照）。
【００１９】
また、電動室２２の前面には開口２２Ａが形成され、この開口２２Ａには格子状の隔壁板２４が設けられている。そして、開口２２Ａは電動送風機２１の吸気開口２１Ａに対向している。
【００２０】
本体ケース２０の両側面には、図１に示すように、後側の上部から前方下部に向って膨出部２５が形成され、この膨出部２５の下部には後輪２６が回転自在に保持されている。また、膨出部２５の両側面の前側には複数の排気孔２７が形成されている。この排気孔２７は図示しない排気風路を介して電動送風機２１の排気開口２１Ｂと連通しており、この電動送風機２１の排気開口２１Ｂから排気される空気は排気風路を介して排気孔２７から外へ排気されるようになっている。
【００２１】
蓋体３０は、平面視がほぼ楕円形に形成された天板３１を有し、この天板３１の周囲に周壁３２が一体に形成されている。周壁３２の前部には集塵ホース１２を着脱自在に接続する接続口（吸込口）３３Ａを有する接続パイプ３３が設けられている。この接続パイプ３３は前後方向に延びており、後部に開口（図示せず）を有している。また、天板３１には、後述する外気取入開口と外気とを連通させる連通開口３４が形成されている。
【００２２】
集塵容器４０は、前面に吸込口４１Ａを有し（図４参照）、後面に開口４１Ｂを有する（図５参照）容器ケース体４１と、この容器ケース体４１の吸込口４１Ａの下側に一体形成された把持部４２（図２参照）とを有している。
【００２３】
容器ケース体４１は、図２に示すように、電動送風機２１の負圧が作用する負圧室部（負圧室）４３と、この負圧室部４３の下部に形成された集塵室部（集塵部）４４と、負圧室部４３内に設けられて吸込口４１Ａから吸引した空気と塵埃とを分離する塵埃分離部（第一塵埃分離手段）４５、この塵埃分離部４５で分離された塵埃を集塵室部４４へ案内する案内管４６とを備えている。
【００２４】
容器ケース体４１の吸込口４１Ａには、開口面積を所望に応じて変化させる絞り弁５０が設けられている。
【００２５】
負圧室部４３の上壁４３Ａには、外気に連通して後述するフィルタ体７０の上流側の面７０Ａに付着した塵埃を吹き落とすように、このフィルタ体７０の上流側の面７０Ａに向かう流れを発生させる外気取入開口６０が形成されている。
【００２６】
集塵室部４４の底部には、底板４７が軸Ｊ回りに開閉可能に取り付けられており、この底板４７を開けることにより集塵室部４４内に蓄積された塵埃が捨てられるようになっている。また、図５に示すように、負圧室部４３と集塵室部４４とを区画する天板４８には複数の開口４８Ａが形成され、この複数の開口４８ＡにはそれぞれネットフィルタＦ１が取り付けられている。さらに、集塵室部４４の後壁部４９には複数の開口４９Ａが形成され、この複数の開口４９ＡにはそれぞれネットフィルタＦ２が取り付けられている。
【００２７】
また、この集塵室部４４の後壁部４９は、容器ケース体４１の後部開口４１Ｂより内側に位置しており、この後部開口４１Ｂ内に濾過により塵埃を捕捉して空気と塵埃とを分離するフィルタ体（第二塵埃分離手段）７０（図６参照）が着脱自在に装着されるようになっている。
【００２８】
塵埃分離部４５は、筒状の風路４５Ａを形成した管部４５Ｂを有している。この管部４５Ｂの一端開口（入口開口）４５Ｃは、容器ケース体４１の吸込口４１Ａに対向しており、絞り弁５０の直後に位置している。また、この一端開口４５Ｃには板体４５Ｃａが設けられており、管部４５Ｂの一端開口４５Ｃの内径と吸込口４１Ａの内径とがほぼ同じになっている。
【００２９】
さらに、管部４５Ｂの内径は一端開口４５Ｃから他端開口（出口開口）４５Ｄにいくにしたがって直線的に漸減している。管部４５Ｂの他端開口４５Ｄは案内管４６の一端に接続されている。
【００３０】
また、管部４５Ｂの風路４５Ａは前後方向に直線状に延びており、蓋体３０の接続パイプ３３と、容器ケース体４１の吸込口４１Ａと、電動送風機２１の吸気開口２１Ａとが一直線上に配置されている。
【００３１】
管部４５Ｂの上側の周壁には、複数の開口４５Ｅが周方向に一様に設けられており、この開口４５Ｅには、図５に示すようにネットフィルタ（フィルタ）Ｆ３が取り付けられている。
【００３２】
そして、このネットフィルタＦ３によって、管部４５Ｂの風路４５Ａを介して容器ケース体４１の吸込口４１Ａと負圧室部４３とが連通されている。また、電動室２２の開口を介して負圧室部４３と電動送風機２１の吸気開口２１Ａとが連通しており、負圧室部４３内に作用する吸込負圧は、ネットフィルタＦ３を介して塵埃分離部４５の管部４５Ｂ内に作用する。この管部４５Ｂ内に作用した吸込負圧により、後述するように空気と塵埃とが分離される。
【００３３】
案内管４６は上下方向に延びており、この案内管４６の他端（下端）４６Ａは天板４８を貫通して集塵室部４４内に延在されている。
【００３４】
絞り弁５０は、図２及び図３に示すように、吸込口４１Ａの開口を適宜遮蔽する板状の弁本体５１と、弁本体５１に一端が固定されるとともに他端が容器ケース体４１の前面４１Ｃを貫通する回動軸５２と、回動軸５２の他端に取り付けられた操作レバー５３（図４参照）とを備えている。
【００３５】
弁本体５１は、容器ケース体４１の吸込口４１Ａの内周面に沿って円弧状に切り欠かれており、回動軸５２を中心に円弧を描くように移動するようになっている。そして、最も上方に位置している場合（開いている場合）に吸込口４１Ａの開口面積を最大（１００％）にし（図３（ａ）参照）、最も下方に位置している場合（絞っている場合）に吸込口４１Ａの開口面積を最小（例えば５０％）（図３（ｂ）参照）にするようになっている。また、この弁本体５１が円弧状に切り欠かれていることにより、弁本体５１の移動スペースが少なくなり、弁本体５１を小さく形成することが可能となる。
【００３６】
なお、弁本体５１は容器ケース体４１の前面４１Ｃから内側に向かって突出したリブＲによって囲まれた気密室４１Ｄ内に配設されている。リブＲの先端部には弾力を有するゴム部材４１Ｅが設けられており、このゴム部材４１ＥによってリブＲの先端部は塵埃分離部４５の管部４５Ｂの一端開口４５Ｃに密着している。
【００３７】
回動軸５２は、容器ケース体４１の前面４１Ｃに回動自在に保持されており、弁本体５１から延びた固定腕５１Ａに一端が接続されている。
【００３８】
操作レバー５３は、図４に示すように、掃除機本体１１の上方に向かって起立するように設けられており、弁本体５１が開いている場合に傾斜し（図４（ａ）参照）、弁本体５１が絞られている場合にほぼ垂直に起立する（図４（ｂ）参照）。この操作レバー５３の傾斜角度に応じて回動軸５２が回動し、その回動に伴って弁本体５１が円弧を描くように移動する。
【００３９】
外気取入開口６０は、負圧室部４３の上壁４３Ａに形成された複数の開口部６１と、各開口部６１から負圧室部４３内に延びる複数のノズル６２と、各開口部６１の外側を一体に取り囲む囲い壁６３とを備えている。
【００４０】
複数のノズル６２は、図７に示すように、左右方向に沿ってほぼ直線状に並んでおり、外気と負圧室部４３とを連通している。
【００４１】
ノズル６２は、各開口部６１のそれぞれから延在され、先端部６２Ａがフィルタ体７０の上流側の面７０Ａに臨んでいる。
【００４２】
囲い壁６３は、蓋体３０を閉めた際に天板３１に形成された連通開口３４に挿入され、上方に向かって開放した上方開口６３Ａが外気に連通するようになっている。
【００４３】
また、囲い壁６３の上方開口６３Ａには、この上方開口６３Ａを適宜開閉する開閉弁６４が設けられている。開閉弁６４は前部が囲い壁６３にヒンジ結合されており、上面に設けられたつまみ部６４Ａを持って前方（図８において左側）へ回動させると開くようになっている。
【００４４】
フィルタ体７０は、図６に示すように、樹脂製の枠体７１と、この枠体７１の内側に取り付けられたプリーツフィルタ部７２とを有している。
【００４５】
枠体７１は、容器ケース体４１の後部開口４１Ｂに嵌着する大きさに形成されており、装着された際に後部開口４１Ｂに当接して、この後部開口４１Ｂをほぼ密閉するフランジ部７１Ａが形成されている。
【００４６】
プリーツフィルタ部７２は不織布等によって形成され、左右方向中間部には縦方向に延びた多数のプリーツ部７２Ａが形成され、左右方向両端部には平面状に形成された平面部７２Ｂが形成されている。
【００４７】
プリーツ部７２Ａは、プリーツとプリーツとの間が表裏両面に上下方向に延びた溝となっている。また、このプリーツ部７２Ａには、図７に示すように、外気取入開口６０のノズル６２の先端部６２Ａが臨んでいると共に、このプリーツ部７２Ａと電動送風機２１の吸気開口２１Ａとが一直線状に位置している。
【００４８】
次に、この発明の電気掃除機１０の作用について説明する。
【００４９】
この電気掃除機１０を使用するには、まず、集塵容器４０を本体ケース３０の載置部２３に載置して蓋体３０を閉じ、図１に示すように集塵ホース１２を蓋体３０の接続口３３Ａに接続する。なお、このとき、操作レバー５３はあらかじめ傾斜しており、弁本体５１は最も上方に位置している（図３（ａ）、図４（ａ）参照）。また、外気取入開口６０の開閉弁６４はあらかじめ閉じており、外気と負圧室部４３とは遮断されている（図２参照）。
【００５０】
そして、手元操作管１３の操作部１３Ａの駆動スイッチＳを操作すると電動送風機２１が駆動される。この電動送風機２１の駆動により、電動室２２開口２２Ａに設けられた格子状の隔壁板２４を介して容器ケース体４１の負圧室部４３内に吸込負圧が作用して、この負圧室部４３が負圧となる。そして、この負圧が管部４５Ｂの開口４５Ｅ、管部４５Ｂの風路４５Ａ、容器ケース体４１の吸込口４１Ａ、蓋体３０の接続パイプ３３、集塵ホース１２、延長管１４および吸込口体１５に作用し、吸込口体１５から空気とともに塵埃が吸引されていく。
【００５１】
この吸引された塵埃および空気は、延長管１４および集塵ホース１２を介して蓋体３０の接続口３３Ａへ吸引されていく。この接続口３３Ａへ吸引された塵埃および空気は、容器ケース体４１の吸込口４１Ａを通って塵埃分離部４５の管部４５Ｂの風路４５Ａに吸引されていく。
【００５２】
風路４５Ａに吸引された空気は、管部４５Ｂの開口４５ＥのネットフィルタＦ３を介して容器ケース体４１の負圧室部４３に吸引され、さらに容器ケース体４１の後部開口４１Ｂに装着したフィルタ体７０および電動室２２の開口２２Ａに設けられた隔壁板２４を介して電動送風機２１の吸気開口２１Ａに吸引されていく。
【００５３】
このように、吸込口４１Ａから吸い込まれた空気は塵埃分離部４５、負圧室部４３、フィルタ体７０を順に通過するようになっている。そのため、負圧室部４３の上壁４３Ａに形成された外気取入開口６０は第一塵埃分離手段である塵埃分離部４５と、第二塵埃分離手段であるフィルタ体７０との間に位置することとなる。
【００５４】
一方、管部４５Ｂの風路４５Ａに吸引された所定以上の質量のある大きな塵埃は、その風路４５Ａが前後方向に直線状に延びていることにより、風路４５Ａを直進して案内管４６により集塵室部４４内へ導入されていく。すなわち、塵埃分離部４５により空気と塵埃が分離されることになる。
【００５５】
また、空気の一部は案内管４６を介して集塵室部４４内へ導入され、この導入された空気は案内管４６の他端（下端）４６Ａによって旋回流となり、集塵室部４４内へ導入された塵埃はその旋回流により圧縮されながら蓄積されていく。
【００５６】
集塵室部４４内に導入された空気は、旋回流となった後、集塵室部４４の天板４８の開口４８Ａに取り付けられたネットフィルタＦ１及び後壁部４９の開口４９Ａに取り付けられたネットフィルタＦ２を介して容器ケース体４１の負圧室部４３に吸引されていく。
【００５７】
重さの軽い小さな塵埃は、管部４５Ｂの風路４５Ａを直進することなく開口４５ＥのネットフィルタＦ３を通る空気に乗って流れていくので、ネットフィルタＦ３に付着していく。
【００５８】
そして、この塵埃の付着によりネットフィルタＦ３の目詰まりが大きくなると、そのネットフィルタＦ３を通る風量が減少していくが、その減少した分だけ容器ケース体４１の負圧室部４３の負圧が大きくなり、天板４８の開口４８Ａ及び後壁部４９の開口４９Ａを介して集塵室部４４内の負圧も大きくなる。このため、開口４８Ａに取り付けられたネットフィルタＦ１と開口４９Ａに取り付けられたネットフィルタＦ２に塵埃が付着しやすくなる。
【００５９】
ここで、ネットフィルタＦ３に付着した塵埃を除去して、ネットフィルタＦ３を通る風量の低下を防止するには、操作レバー５３を図４（ｂ）に示すように矢印Ｐ方向に回動させてほぼ垂直に起立させ、回動軸５２を回動させる。
【００６０】
そして、この回動軸５２の回動に伴って弁本体５１が円弧を描くように矢印Ｑ方向に移動し（図３（ｂ）参照）吸込口４１Ａの開口面積を半減させる。そして、この状態で電動送風機２１を作動させる。
【００６１】
このように絞り弁５０を絞った状態で電動送風機２１を作動させることによって、吸込口４１Ａから流入する空気が絞り弁５０にぶつかって流れが乱れ、塵埃分離部４５の管部４５Ｂの内側を流れる空気に乱流を発生させることができる。そして、この管部４５Ｂの内側に発生した乱流によって、ネットフィルタＦ３に付着した塵埃が剥がし取られ、ネットフィルタＦ３の目詰まりを改善することが可能となる。
【００６２】
また、絞り弁５０を絞って容器ケース体４１の吸込口４１Ａの開口面積を狭くすることでネットフィルタＦ３に付着した塵埃を除去できるので、メンテナンス性を向上させることができると共に、吸込性能の低下を防止することもできる。
【００６３】
なお、このとき、管部４５Ｂの径が他端開口４５Ｄにいくにしたがって直線的に漸減していることにより、ネットフィルタＦ３の全面に風路４５Ａを流れる風が一様に当たりやすくなる。このため、ネットフィルタＦ３に付着した塵埃はさらに剥がれやすくなる。
【００６４】
また、剥がれた塵埃は案内管４６を介して集塵室部４４内へ導入されて蓄積されていく。
【００６５】
さらに、フィルタ体７０に付着した塵埃を除去して、フィルタ体７０を通る風量の低下を防止するには、上述のように絞り弁５０を絞るとともに、外気取入開口６０のつまみ部６４Ａを持って開閉弁６４を前方に回動させて開閉弁６４を開く（図８参照） 。これにより、囲い壁６３の上方開口６３Ａが開いて外気と連通する。そして、この状態で電動送風機２１を作動させる。
【００６６】
このとき、絞り弁５０が絞られることにより、負圧室部４３内に作用した吸込負圧が高まるので、開口部６１を介して外気が負圧室部４３内に流入する（吸い込まれる）ようになる。そして、開口部６１から流入した外気は、ノズル６２によってフィルタ体７０の上流側の面７０Ａに吹き付けられる。この吹き付けられた外気は、塵埃分離部４５から開口４５Ｅを介して流れる空気とぶつかり合って、フィルタ体７０の上流側の面７０Ａ近傍に乱流を発生させることができる。
【００６７】
そして、このフィルタ体７０の上流側の面７０Ａ近傍に発生した乱流によって、フィルタ体７０に付着した塵埃は再び浮上させられる。この再浮上させられた塵埃は、ノズル６２の先端部６２Ａが臨んでいないプリーツフィルタ部７２の平面部７２Ｂ向って吹き飛ばされて集められる。
【００６８】
そして、プリーツフィルタ部７２の平面部７２Ｂに集められた塵埃は、集塵室部４４内の塵埃を捨てる際等に払い落とすことによって除去することができ、容易に除去することが可能となる。
【００６９】
また、ノズル６２の先端部６２Ａが臨んだプリーツ部７２Ａに付着した塵埃は、常に乱流によって再浮上させられて除去されるので、電動送風機２１の吸気開口２１Ａと一直線上に位置して吸込負圧が最も強く作用するプリーツ部７２Ａの目詰まりが防止される。そのため、吸込性能の低下をより効率よく防止することができる。
【００７０】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００７１】
例えば、上述の実施の形態では、絞り弁５０の弁本体５１と、外気取入開口６０の開閉弁６４とがそれぞれ独立して開閉するようになっているが、互いに連動するようになっていても良い。
【００７２】
この場合、図９に示すように、弁本体５１は第一ソレノイドＳ１を介して制御回路８０に接続され、開閉弁６４は第二ソレノイドＳ２を介して制御回路８０に接続される。また、制御回路８０には、制御回路８０をＯＮ／ＯＦＦさせるスイッチ（ＳＷ）８１と、弁本体５１と開閉弁６４との開閉状態を表示する表示部８２が設けられている。なお、表示部８２は、点滅可能なＬＥＤランプである。
【００７３】
そして、スイッチ８１をＯＮすると、制御回路８０によって第一、第二ソレノイドＳ１、Ｓ２に電流が流れて弁本体５１と開閉弁６４とをそれぞれ移動させる。
【００７４】
これにより、吸込口４１Ａの開口面積を小さくするのと同時に、外気連通開口６０を介して外気を負圧室４３内に流入させることを容易に行うことが可能となる。
【００７５】
また、上述の実施の形態では、絞り弁５０を絞ることで負圧室部４３内に作用した吸込負圧を高めているが、負圧室部４３内の吸込負圧を高める方法はこれに限らない。
【００７６】
例えば、吸込口体１５を床面に押し付けることによって吸込口をふさいでも良いし、吸込口４１Ａをすべてふさいでしまう遮蔽弁を設けても良い。
【図面の簡単な説明】
【００７７】
【図１】この発明にかかる電気掃除機の全体を示す斜視図である。
【図２】図１に示す掃除機本体の蓋体を省略して一部を断面にした側面図である。
【図３】（ａ）は吸込口を下流側から見た場合の斜視図であり、（ｂ）は図３（ａ）において絞り弁を絞った場合の斜視図である。
【図４】（ａ）は吸込口を上流側から見た場合の斜視図であり、（ｂ）は図４（ａ）において絞り弁を絞った場合の斜視図である。
【図５】集塵容器のフィルタ体を外して下流側から見た場合の斜視図である。
【図６】（ａ）はフィルタ体を上流側から見た場合の斜視図であり、（ｂ）はフィルタ体を下流側から見た場合の斜視図である。
【図７】図５においてフィルタ体を装着した場合のＡ−Ａ断面図である。
【図８】図２において外気連通開口の開閉弁を開いた状態示す側面図である。
【図９】絞り弁と開閉弁とを連動させる場合の例を示す説明図である。
【図１０】従来の電気掃除機を示す一部破断側面図である。
【符号の説明】
【００７８】
１０      電気掃除機
４１Ａ    吸込口
４３      負圧室（負圧室部）
４４      集塵部（集塵室部）
４５      第一塵埃分離手段（塵埃分離部）
６０      外気取入開口
６４      開閉弁
７０      第二塵埃分離手段（フィルタ体）
７０Ａ    上流側の面
Ｆ３      フィルタ（ネットフィルタ）
【図１】
2006006453.tif 000003
【図２】
2006006453.tif 000004
【図３】
2006006453.tif 000005
【図４】
2006006453.tif 000006
【図５】
2006006453.tif 000007
【図６】
2006006453.tif 000008
【図７】
2006006453.tif 000009
【図８】
2006006453.tif 000010
【図９】
2006006453.tif 000011
【図１０】
2006006453.tif 000012